(57)【要約】【課題】フォークリフトの爪部を差し込む際にパレットの破損を防ぐと共に、破損部分の交換が容易で交換コストが低廉である。【解決手段】パレット１は、所定間隔で配列した複数の縦桟２に直交する方向に複数の横桟３を所定間隔で配列して釘等で固定した。パレット１の側面にフォークリフトの爪部の挿入部５を一対設けた。挿入部５を仕切る両側の一対の縦桟２を横桟３から外側に突出させて配置し、横桟３から突き出した一対の縦桟２の上部に補強部材７を固定した。補強部材７は上側の横桟３の上面より低い位置に固定し、パレット１の上面に外装板を載置した状態で、外装板と補強部材７の間に間隙を形成した。【選択図】図１
2017013890.tif 000002
【特許請求の範囲】
【請求項１】
複数の縦桟と複数の横桟とを互いに交差させて固定してなるパレットであって、
フォークリフトの爪部を挿入する挿入部の両側に位置する一対の前記縦桟を前記横桟から突き出して配置し、
前記横桟から突き出した一対の前記縦桟の上部に補強部材を固定したことを特徴とするパレット。
【請求項２】
前記補強部材は前記横桟の上面より下側に配設した請求項１に記載されたパレット。
【請求項３】
複数の縦桟と複数の横桟とを互いに交差させて固定してなるパレットであって、
フォークリフトの爪部を挿入する挿入部の両側に位置する一対の前記縦桟間の上側の前記横桟に、補強部材を前記挿入部の外側に突き出して固定したことを特徴とするパレット。
【発明の詳細な説明】
【技術分野】
【０００１】
本発明は、例えば窯業系外装材等の被搬送材を積載して運搬や保管等を行うようにしたパレットに関する。
【背景技術】
【０００２】
従来、建築物の外壁に取り付ける外装板として例えば窯業系サイディング等の長方形の窯業系外装板があり、この外装板をパレットに積み重ねて保管したり建築現場等に搬送したりする。このようなパレットとして、例えば図５に示す木製のパレット１００が用いられている。このパレット１００は、平行に配列された複数の縦桟１０１とその上面や上下面に略直交する方向に配列した複数の横桟１０２とを釘等で固定して構成されている。
このパレット１００の側面中央部に一対の挿入口１０３が設けられている。各挿入口１０３は両側の２本の縦桟１０１とその上面側の横桟１０２とで空間を形成し、両側の２本の縦桟１０１と上面側の横桟１０２との間に補強板１０４が固定されている。そして、フォークリフトの一対の爪部を挿入口１０３に挿入して外装板を積載したパレット１００を持ち上げることができる。
【０００３】
このパレット１００において、上面に外装板を積層して載置し、縦桟１０１の間の挿入口１０３にフォークリフトの爪部を挿入しようとして、爪部の先端がパレット１００の挿入口１０３の端面に衝突して破損する恐れがある。
また、爪部をパレット１００の挿入口１０３に差し込んでフォークリフトで持ち上げる場合でも、外装板の重量が大きいため、フォークリフトの一対の爪部を境にパレット１００の外側が下方に撓んで境目の特にフォークリフト爪部の根元部分の上方に位置する外装板の端部位置に集中的に荷重が加わって、外装板端部を傷めることがあった。
【０００４】
このようなパレットのクラックや損傷を防ぐために、例えば特許文献１に記載された木製パレットが提案されている。このパレットは、木製の角材からなる複数の巾木の上下面に複数の横桟を直交させて配列して固定している。しかも、一対の巾木の間におけるフォークリフトの挿入口の上下両端部にその端面を覆うプラスチックや金属板製の保護板を固定している。
保護板は、断面略Ｌ字状の枠板や、左右の巾木と上下の横桟で仕切った四角形の挿入口部分に開口を設けた枠部が、巾木の配列方向に沿って複数配列されて一体化した枠板部材によって形成されている。
【先行技術文献】
【特許文献】
【０００５】
【特許文献１】実開平５−４４８２４号公報
【発明の概要】
【発明が解決しようとする課題】
【０００６】
しかしながら、特許文献１に記載された木製パレットでは、補強用の保護板として木製以外の異種の材質の保護板を用いるため、材料コストが高くなる欠点があった。しかも、高強度の異種材料等を用いてコスト高にすることは好ましくなかった。
また、フォークリフトの爪部を誤って保護板に衝突させたり、保護板の開口を通してパレットに繰り返して差し込んで持ち上げて外装板を搬送したりしていると、保護板や保護板を固定するパレットの横桟が破損してしまう。その場合、保護板と保護板を固定した横桟とを交換して固定しなければならず、交換作業に手間がかかる上にコスト高になる欠点もあった。
【０００７】
本発明は、このような課題に鑑みてなされたものであって、フォークリフトの爪部を差し込む際にパレットが破損して強度低下を招くことを防ぐと共に、破損部分の交換が容易で交換コストが低廉であるパレットを提供することを目的とする。
【課題を解決するための手段】
【０００８】
本発明によるパレットは、複数の縦桟と複数の横桟とを互いに交差させて固定してなるパレットであって、フォークリフトの爪部を挿入する挿入部の両側に位置する一対の縦桟を横桟から突き出して配置し、横桟から突き出した一対の縦桟の上部に補強部材を固定したことを特徴とする。
本発明によれば、フォークリフトの爪部をパレットの挿入部に挿入する際、パレットの補強部材に衝突して損傷することがあってもパレットの本体が損傷することを抑制でき、補強部材を交換すればよい。
【０００９】
また、補強部材は横桟の上面より下側に配設することが好ましい。
横桟の上面に製品を載置し、パレットの挿入部にフォークリフトの爪部を挿入してパレットごと持ち上げて搬送する際、補強部材を横桟の上面より下側に配設することで、爪部の付け根で補強部材を持ち上げる際に補強部材が荷重で押圧されてフォークリフトの爪部の根元部分に位置する補強部材の箇所にも撓みが生じても、補強部材は横桟の上面の製品と離れており損傷することを防止できる。
【００１０】
本発明によるパレットは、複数の縦桟と複数の横桟とを互いに交差させて固定してなるパレットであって、フォークリフトの爪部を挿入する挿入部の両側に位置する一対の縦桟間の上側の横桟に、補強部材を外側に突き出して固定したことを特徴とする。
本発明によるパレットは、フォークリフトの爪部をパレットの挿入部に挿入する際、補強部材に衝突して補強部材が損傷してもパレットの本体が損傷しない。また、フォークリフトの爪部をパレットに挿入する際に爪部で補強部材が損傷し易いが、パレットの本体を損傷しない。そのため損傷した補強部分を交換すればよく、交換コストが低廉ですむ。また、本発明では既存のパレットに補強部材を取り付けることができる。
【発明の効果】
【００１１】
本発明によるパレットによれば、パレットの挿入部に横桟から突出する補強部材を備えたため、フォークリフトの爪部を挿入する際に爪部が補強部材に衝突したとしても、パレットの本体の損傷を抑えることができる。しかも、補強部材の交換だけで済むので低廉である上に補修作業が容易である。
【図面の簡単な説明】
【００１２】
【図１】本発明の第一実施形態によるパレットの斜視図である。
【図２】図１に示すパレットを示すもので、（ａ）は平面図、（ｂ）は側面図である。
【図３】図２に示すパレットの正面図である。
【図４】本発明の第二実施形態によるパレットの斜視図である。
【図５】従来のパレットの斜視図である。
【発明を実施するための形態】
【００１３】
以下、本発明の実施形態によるパレットを図１乃至図４に基づいて説明する。
図１〜図３は本発明の第一実施形態による木製のパレット１を示すものである。このパレット１は製品として、例えば建築物の外壁をなす長方形の窯業系外装板、例えば窯業系サイディングを積み重ねて搬送したり保管したりするのに用いられている。
本実施形態による木製のパレット１は、所定の間隔を開けて例えば角材からなる複数の縦桟２が平行に配列され、その上面と下面に縦桟２に直交する方向に例えば薄板状の横桟３が所定間隔で例えば４枚配列され、釘等で縦桟２に固定されている。上側の横桟３はその強度を確保するために２枚重ねて固定されているが、１枚の厚板でもよい。各縦桟２はその長手方向両端に配設された横桟３よりも外側に突出して形成されている。横桟３の上面に上述した外装板が載置される。
【００１４】
そして、横桟３に直交する方向にフォークリフトの爪部を挿入するための挿入部５が一対形成され、これらの挿入部５は横桟３の両端部からの距離が略等間隔に設定されている。そのため、パレット１の両側のいずれの方向からも一対の挿入部５にフォークリフトの爪部を挿入可能である。
なお、図２に示すように、挿入部５において、横桟３の強度を向上させるために、各外側の横桟３とその内側の横桟３との間に長さの短い補強横桟６を設置し、２本の縦桟２に架け渡して固定してもよい。補強横桟６を２枚重ねて固定することで、フォークリフトの爪部で外装板を載置したパレット１を持ち上げる際にパレット１を補強する。なお、補強横桟６は1枚の厚板でもよい。
【００１５】
挿入部５における外側の横桟３から突出する一対の縦桟２上に補強部材７が釘等で固定されている。補強部材７は横桟３の両側に対向して突出する縦桟２の上側にそれぞれに固定されている。しかも、補強部材７は上側の横桟３が２枚積層された構成であるのに対し、縦桟２上に１枚で構成されており、厚さが各横桟３と同程度であるために、２枚積層された横桟３の上面より下側に位置している。
そのため、パレット１の横桟３の上面に横桟３の長手方向に沿って外装板を載置した際に、外装板が外側の横桟３から若干はみ出すことが可能であり、この場合でも補強部材７と外装板との間に横桟３の厚み分の間隙が形成されることになる。フォークリフトの爪部の根元部分に位置する補強部材７の箇所に撓みが生じても、外装板の端部位置に集中的に荷重が加わることがなく、外装板の端部を傷めることがない。
なお、挿入部５以外の部分に設けた縦桟２は横桟３から外側に突出していなくてもよい。また、補強部材７の厚さは単体の横桟３の厚みと同等である必要はなく、縦桟２に固定した状態で、横桟３の上面より低い位置にあればよい。
【００１６】
本実施形態によるパレット１は上述の構成を備えており、次にその使用方法について説明する。
図１から図３に示すように、パレット１の上面の横桟３上に外装板を例えば２列に載置して所定枚数を積層すると例えば１．５トン程度の重量になる。この状態で外装板は各２枚の横桟３の上に跨って載置され、外装板の端部は外側の横桟３よりも外側にはみ出すことになるが、挿入部５における補強部材７とは間隙があり、非接触とされている。
この状態で、外装板を運搬するためにパレット１の一対の挿入部５にフォークリフトの爪部を挿入する際、運転者が高さを見誤って、爪部が補強部材７に衝突して損傷したとしてもパレット１の本体が損傷することを防止できる。損傷した補強部材７を交換する場合でも、補強部材７だけを縦桟２から外して新たな補強部材７を釘等で縦桟２に固定すればよい。
【００１７】
また、パレット１の一対の挿入部５内にフォークリフトの爪部を適正に差し込んで持ち上げると、爪部の先端側で横桟３を持ち上げると共に付け根の部分が補強部材７を加圧して持ち上げる。その際、補強部材７と外装材４との間には間隙があり、フォークリフトの爪部の根元部分に位置する補強部材７の箇所に撓みが生じても、外装板の端部位置に集中的に荷重が加わることなく、外装板の端部を傷めることがない。
また、補強部材７は横桟３から突出する縦桟２に固定されているため、フォークリフトの爪部で補強部材７が破損したとしても横桟３が損傷することを防止できる。そのため、補強部材７の破損によってパレット１が損傷することを防止でき、補強部材７を交換すればよい。
【００１８】
上述したように本第一実施形態によるパレット１によれば、交換容易な補強部材７をパレット１の横桟３から突出する縦桟２に固定したため、フォークリフトの爪部を挿入部５に挿入する際に補強部材７に衝突して破損したりしても、補強部材７を縦桟２から外して交換すればよく、パレット１の本体の損傷を防止できる。しかも、補強部材７の交換は容易であり、低コストで済む。
また、補強部材７は横桟３上に載置した外装板と非接触に保持されるため、フォークリフト爪部の根元部分に位置する補強部材７の箇所に撓みが生じても、外装板の端部位置に集中的に荷重が加わることがなく、外装板の端部を傷めることがない。
【００１９】
なお、本発明によるパレット１は、上述した実施形態に限定されるものではなく、本発明の要旨を逸脱しない範囲で適宜の変更や置換等が可能である。以下に、本発明の他の実施形態や変形例について説明するが、上述した実施形態で説明した部品や部材等と同一または同様なものについては同一の符号を用いて説明を省略する。
【００２０】
次に本発明の第二実施形態によるパレット１Ａについて図４によって説明する。
図４に示す第二実施形態によるパレット１Ａは、上述した第一実施形態によるパレット１において、フォークリフトの爪部の挿入部５を仕切る両側の縦桟２や他の縦桟２は横桟３から外側に突出しておらず、外側の横桟３の側面とほぼ面一の端面を有している。そのため、本実施形態によるパレット１Ａは従来技術に示すパレット１００とほぼ同一構成を有している。
【００２１】
そして、本実施形態によるパレット１Ａでは、挿入部５において、縦桟２の端面と面一をなす外側の横桟３の側面に板状の補強部材９が当接して突出しており、その下面と縦桟２の端面とに亘って断面略Ｌ字状の支持金具１０が当接して釘等で固定されている。この支持金具１０は挿入部５の両側の縦桟２にそれぞれ固定され、支持金具１０の上部に設けた補強部材９がその両側部で支持金具１０に釘等で固定されている。
本実施形態において、上述の構成に代えて、支持金具１０は補強部材９の上側で横桟３と補強部材９に固定されていてもよく、或いは保持強度を高くするために補強部材９の上下に支持金具１０を取り付けてもよい。
【００２２】
従って、本第二実施形態によるパレット１Ａにおいても、第一実施形態によるパレット１に設けた補強部材７と同様に、一対の挿入部５を仕切る両側の縦桟２と上下の横桟３において、上側の横桟３から補強部材９が外側に突出する構成を有している。しかも、補強部材９は上側の横桟３の上面より低い位置に設置されているため、横桟３の上に載置した外装板と補強部材９との間に間隙が形成される。
【００２３】
本第二実施形態によるパレット１Ａにおいても、パレット１Ａの挿入部５にフォークリフトの爪部を挿入する際、爪部の先端が補強部材９に衝突して破損しても補強部材９を容易に交換できる。
また、パレット１Ａの挿入部５にフォークリフトの爪部を差し込んで持ち上げた際に付け根で補強部材９を持ち上げて破損したとしても、補強部材９を縦桟２や横桟３から外して交換すればよく、パレット１の本体の損傷を防止できる。しかも、補強部材９は横桟３上に載置した外装板と非接触に保持されるため、フォークリフトの爪部の根元部分に位置する補強部材９の箇所に撓みが生じても、外装板の端部位置に集中的に荷重が加わることなく、外装板の端部を傷めることがない。
【００２４】
なお、本発明によるパレット１，１Ａにおいて、補強部材７，９はパレット１の横桟３の上面と面一に設置されていてもよい。この場合でも、破損しても交換の容易な補強部材７，９を取り付けることで、フォークリフトの爪部を挿入する際のパレット１，１Ａの損傷を抑制できる。
【符号の説明】
【００２５】
１、１Ａ  パレット
２  縦桟
３  横桟
５  挿入部
７、９  補強部材
１０  支持金具
【図１】
2017013890.tif 000003
【図２】
2017013890.tif 000004
【図３】
2017013890.tif 000005
【図４】
2017013890.tif 000006
【図５】
2017013890.tif 000007